(57)【要約】【課題】左右のフラップを中央スリットに差し込む構成により、本体の強度アップ、かつ低コストタイプのフック式商品展示ディスプレイの提供。【解決手段】縦長の正面板（１１）の中央部に複数個のスリット（１４，１４）と上部片に連結スリット（１６）と下部片には連結片（１７）とを設け、この正面板の左右に折れ線（ｂ，ｂ）と（ｃ，ｃ）を介して側板（１３，１３）と補強板（１２，１２）を連接して、この補強板の両端辺には複数個の吊り下げフック（１５，１５）を、前記スリット（１４，１４）位置と並列に設けてなり、厚紙や樹脂シート等を型抜きしてなるフック式商品展示ディスプレイであって、前記側板（１３，１３）と補強板（１２，１２）を折れ線から外側に折り曲げ、左右の吊り下げフック（１５，１５）を合わせて裏面側からスリット（１４，１４）に差し込み、正面板に吊り下げフックを突出させたフック式商品展示ディスプレイである。【選択図】図１
2006321496.tif 000002
【特許請求の範囲】
【請求項１】
縦長の正面板（１１）の中央部に複数個のスリット（１４，１４）と上部片に連結スリット（１６）と下部片には連結片（１７）とを設け、該正面板の左右に折れ線（ｂ，ｂ）と（ｃ，ｃ）を介して側板（１３，１３）と補強板（１２，１２）とを連接し、該補強板の両端辺には複数個の吊り下げフック（１５，１５）を設けたもので、該吊り下げフックは前記スリット（１４，１４）位置と並列の位置に設けてなる厚紙や樹脂シート等を型抜きしてなるフック式商品展示ディスプレイ（１０）であって、前記側板（１３，１３）と補強板（１２，１２）を折れ線から外側に折り曲げ、左右の吊り下げフック（１５，１５）を合わせて裏面側からスリット（１４，１４）に差し込み、正面板の表面に吊り下げフックを突出させたことを特徴とするフック式商品展示ディスプレイ。
【請求項２】
前記側板（１３，１３）と補強板（１２，１２）を折れ線から外側に折り曲げ、吊り下げフック（１５，１５）をスリットから突出させることにより、正面板（１１）裏面側に補強板による三角形状の補強柱（１８，１８）を設けたことを特徴とする請求項１に記載のフック式商品展示ディスプレイ。
【請求項３】
前記フック式商品展示ディスプレイの正面板（１１）の上部片に設けた連結スリット（１６）と、該下部片に設けた連結片（１７）を組み合わせることで、フック式商品展示ディスプレイどうしを連結可能としたことを特徴とする請求項１又は請求項２に記載のフック式商品展示ディスプレイ。
【請求項４】
前記フック式商品展示ディスプレイ（１０）の全面には印刷等による模様層を設けたことを特徴とする請求項１乃至請求項３に記載のフック式商品展示ディスプレイ。
【発明の詳細な説明】
【技術分野】
【０００１】
本発明は、紙や樹脂シート等を型抜きのみで作成することができるフック式タイプの商品吊り下げ具で、各面板を折り込み中央のスリット部分に吊り下げフックを差し込むことで強度が向上するフック式商品展示ディスプレイに関するものである。
【背景技術】
【０００２】
従来より、商品展示用のディスプレイは各種形状や材料を用いて、商品の吊り下げタイプや固定された用具に商品を設置するタイプ、或いはフック状の用具に商品をひっ掛ける等の陳列方法による展示ディスプレイが多く提案され、また実用化されている。
【０００３】
例えば、図示はしないが金属製等による金網を仕切りとして、その網目にＳ字状のフック或いは帽子等を掛けるプラスチック製の吊り下げフックを設置して、そのフックに商品を吊り下げる陳列ディスプレイが一般的に多く見られる。一方、ボード表面に固定切り欠き孔を設け、この孔にプラスチック製等の係止具を嵌め込み固定させると共に、この係止具に商品を掛ける或いは係止具を複数個連続して設置することにより特殊形状（例えば、チューブ容器等）の商品を設置陳列することが可能な商品陳列用のディスプレイが知られている。
【０００４】
しかし上記に示した陳列ディスプレイは、容易に組み立てや設置をすることができない等、また専門家でないと意匠的にも綺麗な商品陳列が難しい等の問題点も見られる。
【発明の開示】
【発明が解決しようとする課題】
【０００５】
しかしながら、上記の一番の問題点は陳列ディスプレイそのものの製造コストが高く、また商品の展示（陳列）が一定期間で終了すると次回までの間、これらのディスプレイを保管するか、廃棄する必要が生じる。すなわち、陳列ディスプレイそのものの製造コストが高いので当然廃棄などすることでコスト的な無駄も大きい。
【０００６】
そこで本発明は、上記の問題を解決するために成されたもので、紙や樹脂シートを用いて型抜きのみのフック式商品展示ディスプレイであって、左右のフラップを中央スリットに差し込む構成により、本体の強度アップ、かつ低コストタイプのフック式商品展示ディスプレイを提供することを目的とするものである。
【課題を解決するための手段】
【０００７】
本発明の請求項１は、
縦長の正面板（１１）の中央部に複数個のスリット（１４，１４）と上部片に連結スリット（１６）と下部片には連結片（１７）とを設け、該正面板の左右に折れ線（ｂ，ｂ）と（ｃ，ｃ）を介して側板（１３，１３）と補強板（１２，１２）を連接し、該補強板の両端辺には複数個の吊り下げフック（１５，１５）を設け、このフックと前記スリット（１４，１４）位置と並列に設けてなる厚紙や樹脂シート等を型抜きしてなるフック式商品展示ディスプレイ（１０）であって、前記側板（１３，１３）と補強板（１２，１２）を折れ線から外側に折り曲げ、左右の吊り下げフック（１５，１５）を合わせて裏面側からスリット（１４，１４）に差し込み、正面板の表面に吊り下げフックを突出させたことを特徴とするフック式商品展示ディスプレイの構成である。
【０００８】
本発明の請求項２は、
前記側板（１３，１３）と補強板（１２，１２）を折れ線から外側に折り曲げ、吊り下
げフック（１５，１５）をスリットから突出させることにより、正面板（１１）裏面側に補強板による三角形状の補強柱（１８，１８）を設けたことを特徴とするものである。
【０００９】
本発明の請求項３は、
前記フック式商品展示ディスプレイの正面板（１１）の上部片に設けた連結スリット（１６）と、該下部片に設けた連結片（１７）を組み合わせることで、展示ディスプレイどうしを連結可能としたことを特徴とするものである。
【００１０】
本発明の請求項４は
前記フック式商品展示ディスプレイ（１０）の全面には印刷等による模様層を設けたことを特徴とするものである。
【発明の効果】
【００１１】
本発明のフック式商品展示ディスプレイは、縦長の正面板の中央部に複数個のスリットと上部片に連結スリットと下部片には連結片とを設け、この正面板の左右に側板と補強板を連接し、この補強板の両端部には複数個の吊り下げフックを、前記スリット位置と並列に設けた厚紙や樹脂シート等を型抜きしてなるフック式商品展示ディスプレイであって、前記側板と補強板を折れ線から外側に折り曲げ、左右の吊り下げフックを合わせて裏面側からスリットに差し込み、正面板の表面に吊り下げフックを突出させた構成である。この構成により、前記側板と補強板外側に折り曲げ、吊り下げフックをスリットから突出させることにより、正面板の裏面側に三角形状の補強柱を形成する構造となっている。
【００１２】
また、本発明のフック式商品展示ディスプレイは、正面板の上部片に設けた連結スリットと、この下部片に設けた連結片とを組み合わせることで、展示ディスプレイどうしの連結が可能としたものである。
【００１３】
さらに、本発明のフック式商品展示ディスプレイは、紙や樹脂シート全体を抜き型により構成することができるので、低コストで製造ができ、かつ組み立てることにより構造強度を強化したディスプレイが得られる等の種々の優れた効果を奏する。
【発明を実施するための最良の形態】
【００１４】
本発明の最良の形態を図に基づき詳細に説明する。
【００１５】
図１は、本発明の一実施例におけるフック式商品展示ディスプレイの展開図である。また、図２は、フック式商品展示ディスプレイの組み立てを示すもので、（Ａ）は、組み立て方法を示す部分説明図であり、（Ｂ）は、組み立てにより正面板の裏面側に三角形状の補強柱の形成を示す上面図である。また、図３は、フック式商品展示ディスプレイの正面板のスリットから吊り下げフックを突出させ商品を吊り下げる状態の一例を示す説明図である。さらに、図４は、フック式商品展示ディスプレイを連結させる状態を示す説明図である。
【００１６】
本発明は、図１に示すように、縦長の正面板（１１）の中央部に複数個の縦長状のスリット（１４，１４）とこの上部片にディスプレイ吊り下げ用の小孔（ａ，ａ）を１個乃至複数個設け、さらに連結スリット（１６）と正面板の下部片には連結片（１７）を設け、この正面板の左右に折れ線（ｂ，ｂ）及び折れ線（ｃ，ｃ）を介して側板（１３，１３）と補強板（１２，１２）を連接したものである。また、この補強板（１２，１２）の両端辺には複数個の吊り下げフック（１５，１５）を設けるものである。この吊り下げフックを設ける位置は、前記正面板に設けたスリット（１４，１４）位置と並列した位置に設けたものである。
【００１７】
次に、この組み立ては、前記側板（１３，１３）と補強板（１２，１２）を折れ線から外側に折り曲げ（正面板の裏面側方向）、左右の吊り下げフック（１５，１５）を当接するように合わせ、合わせたフック（１５，１５）どうしを裏面側からスリット（１４，１４）に差し込み、正面板（１１）の表面側に吊り下げフックを突出させることでフック式商品展示ディスプレイが得られる。なお、本発明においては、フック数及びスリット数を複数個設けたことで説明しているが限定するものではなく、３個以上でもよい。
【００１８】
なお、本発明に使用する素材は、紙素材に限定するものではなく樹脂シートも使用することができる。例えばポリエチレンテレフタレート（ＰＥＴ）、ポリプロピレン（ＰＰ）、塩化ビニール等の樹脂シートを挙げることができる。
【００１９】
次に、図２（Ａ）に示すように、前記側板（１３，１３）と補強板（１２，１２）を折れ線から外側に折り曲げ、図２（Ｂ）に示すように、吊り下げフック（１５，１５）をスリット（１４，１４）から突出させることにより、正面板（１１）の裏面側の二箇所に正面板の裏面側に沿って補強板による三角形状の補強柱（１８，１８）が形成される。この補強柱により、組み立て後の展示ディスプレイは、正面からの少々の圧力に耐えることができると共に、上方よりの圧に対しては強い耐性が得られる。よって、丈夫なディスプレイとなる。
【００２０】
次に、図３（Ａ）は、組み立て後のフック式商品展示ディスプレイ（１０）を示すもので、正面板のスリットに吊り下げフック（１５，１５）を挿入し、このフック先端を突出させた状態を示すものである。この一部分を拡大したものを図３（Ｂ）に示す。正面板の表側に突出した吊り下げフックはＵ字状になっているので商品（２０）の孔部分をフック（１５，１５）に容易に吊り下げることができる。また、商品がキャンディー等を収納した小袋等であれば多数吊り下げられるので目的に応じてフック数とスリット数を増やしたディスプレイにすることが望ましい。
【００２１】
また、本発明のフック式商品展示ディスプレイは、図４に示すように、前記フック式商品展示ディスプレイの正面板（１１）の上部片に設けた連結スリット（１６）と、この下部片に設けた連結片（１７）を嵌合することにより、展示ディスプレイどうしを複数体連結可能としたものである。また、図に示すように、展示ディスプレイ自体もＳカン、紐などにより容易に吊り下げることが可能である。
【００２２】
本発明のフック式商品展示ディスプレイ（１０）には、図示はしないが、予め全面に印刷等による模様層を施すことで意匠性を向上させることができる。従って、陳列ディスプレイとしてだけではなく、多数店頭に単体で、或いは連結させて吊り下げることで店内装飾品としても使用可能となる。
【産業上の利用可能性】
【００２３】
本発明のフック式商品展示ディスプレイは、簡単に商品を吊り下げたり、袋状の物を引っかけたりする特徴を有するが、ディスプレイどうしを複数体連結可能としたもので、他の利用方法としては多数店頭に吊り下げることで装飾品、店内の商品展示兼飾りディスプレイとして使用可能である。
【図面の簡単な説明】
【００２４】
【図１】本発明の一実施例におけるフック式商品展示ディスプレイの展開図である。
【図２】上記のフック式商品展示ディスプレイの組み立て状態をを示すもので、（Ａ）は、組み立て方法を示す部分説明図であり、（Ｂ）は、組み立てにより正面板の裏面側に三角形状の補強柱の形成を示す上面図である。
【図３】上記のフック式商品展示ディスプレイの組み立て後の状態を示すもので、（Ａ）は、正面板のスリットから吊り下げフックを突出させた状態を示し、（Ｂ）は、この突出させた吊り下げフックに商品を吊り下げる状態の一例を示す説明図である。
【図４】上記のフック式商品展示ディスプレイを連結させる状態を示す説明図である。
【符号の説明】
【００２５】
１０……フック式商品展示ディスプレイ
１１……正面板
１２……補強板
１３……側板
１４……スリット
１５……吊り下げフック
１６……連結スリット
１７……連結片
１８……三角形状の補強柱
２０……商品
ａ……吊り下げ孔
ｂ，ｃ…折れ線
【図１】
2006321496.tif 000003
【図２】
2006321496.tif 000004
【図３】
2006321496.tif 000005
【図４】
2006321496.tif 000006